(57)【特許請求の範囲】
【請求項１】
カメラ作動のための電力を供給する電源と、撮影を行なうための沈胴式レンズと、該沈胴式レンズの繰り出しおよび収納動作を制御する制御部とを備え、
前記沈胴式レンズの第１または第２の沈胴方式を指定する指定手段と、
アダブタ装着の有無を検知する検知手段とを有し、
前記指定手段によって第１の沈胴方式が指定された場合には、前記検知手段によりアダブタ装着の有無に応じて沈胴制御を行うとともに、第２の沈胴方式が指定された場合には、前記沈胴制御は前記アダプタ装着の有無に拘らないことを特徴とするカメラ。
【請求項２】
前記第１の沈胴方式としてオートモードと前記第２の沈胴方式として常時レンズ繰り出しモードを含み、前記常時レンズ繰り出しモードにおいて前記電源をオフする際、前記沈胴式レンズの収納動作が行なわれないようにしたことを特徴とする請求項１に記載のカメラ。
【請求項３】
カメラ作動のための電力を供給する電源と、撮影を行なうための沈胴式レンズと、該沈胴式レンズの繰り出しおよび収納動作を制御する制御部とを備えカメラの制御方法であって、
前記沈胴式レンズの第１のまたは第２の沈胴方式を指定手段によって指定し、前記指定手段によって第１の沈胴方式が指定された場合には、アダプタ装着の有無に応じて沈胴制御を行うとともに、第２の沈胴方式が指定された場合には、前記沈胴制御は前記アダプタ装着の有無に拘らないことを特徴とするカメラの制御方法。
【請求項４】
前記第１の沈胴方式としてオートモードと前記第２の沈胴方式として常時レンズ繰り出しモードを含み、前記常時レンズ繰り出しモードにおいて前記電源をオフする際、前記沈胴式レンズの収納動作が行なわれないようにしたことを特徴とする請求項３に記載のカメラの制御方法。
【請求項５】
カメラの状態を撮影モードから再生モードへの切り換える切換手段と、前記切換手段の切り換えに応答して撮影光学系を繰り出し状態と繰り込み状態に駆動制御すると共に、前記切換手段による同一の切り換えに対して異なる駆動制御を選択可能である制御手段とを有することを特徴とするカメラ。
【請求項６】
前記制御手段は、前記切換手段によって前記撮影モードから前記再生モードへ切り換えられることに応答して前記撮影光学系を繰り出し状態から繰り込み状態に駆動するか否かを選択可能であることを特徴とする請求項５に記載のカメラ。
【請求項７】
前記制御手段は、アダプタが装着されているか否かに応じて、前記切換手段によって前記撮影モードから前記再生モードへ切り換えられることに応答して前記撮影光学系を繰り出し状態から繰り込み状態に駆動するか否かを選択可能であることを特徴とする請求項５に記載のカメラ。
【請求項８】
カメラの状態を再生モードから撮影モードへの切り換える切換手段と、前記切換手段の切り換えに応答して撮影光学系を繰り出し状態と繰り込み状態に駆動制御すると共に、前記切換手段による同一の切り換えに対して異なる駆動制御を選択可能である制御手段とを有することを特徴とするカメラ。
【請求項９】
前記制御手段は、前記切換手段によって前記再生モードから前記撮影モードへ切り換えられることに応答して前記撮影光学系を繰り込み状態から繰り出し状態に駆動するか否かを選択可能であることを特徴とする請求項８に記載のカメラ。
【請求項１０】
カメラの状態を撮影モードから再生モードへの切り換える切換手段と、前記切換手段の切り換えに応答して撮影光学系を突出状態と収納状態に駆動制御すると共に、前記切換手段による同一の切り換えに対して異なる駆動制御を選択可能であることを特徴とするカメラ。
【請求項１１】
前記制御手段は、前記切換手段によって前記撮影モードから前記再生モードへ切り換えられることに応答して前記撮影光学系を突出状態から収納状態に駆動するか否かを選択可能であることを特徴とする請求項１０に記載のカメラ。
【請求項１２】
前記制御手段は、アダプタが装着されているか否かに応じて、前記切換手段によって前記撮影モードから前記再生モードへ切り換えられることに応答して前記撮影光学系を突出状態から収納状態に駆動するか否かを選択可能であることを特徴とする請求項１０に記載のカメラ。
【請求項１３】
カメラの状態を再生モードから撮影モードへ切り換える切換手段と、前記切換手段の切り換えに応答して撮影光学系を突出状態と収納状態に駆動制御すると共に、前記切換手段による同一の切り換えに対して異なる駆動制御を選択可能であることを特徴とするカメラ。
【請求項１４】
前記制御手段は、前記切換手段によって前記再生モードから前記撮影モードへ切り換えられることに応答して前記撮影光学系を収納状態から突出状態に駆動するか否かを選択可能であることを特徴とする請求項１３に記載のカメラ。
【請求項１５】
撮影光学系が装着されるカメラの状態を再生モードから撮影モードへの切り換えに応答して該撮影光学系を繰り出し状態と繰り込み状態に駆動制御すると共に、前記カメラの状態の同一の切り換えに対して異なる駆動制御を選択可能にすることを特徴とする撮影光学系の駆動制御コンピュータプログラム。
【請求項１６】
撮影光学系が装着されるカメラの状態を再生モードから撮影モードへの切り換えに応答して該撮影光学系を突出状態と収納状態に駆動制御すると共に、前記カメラの状態の同一の切り換えに対して異なる駆動制御を選択可能にすることを特徴とする撮影光学系の駆動制御コンピュータプログラム。
【発明の詳細な説明】
【０００１】
【発明の属する技術分野】
本発明は、画像を撮像および記録するカメラ、特に光学系を構成する沈胴式レンズを備えたカメラおよびその制御方法等に関する。
【０００２】
【従来の技術】
沈胴式レンズを採用するカメラにおいて、カメラの電源ＯＮに同期したレンズの繰り出し動作、あるいはカメラの電源ＯＦＦに同期したレンズの収納動作をカメラが自動で行うものがある。また、カメラ本体において撮影した画像の再生が可能なデジタルカメラにおいては、撮影モードに同期したレンズの繰り出し動作、あるいは再生モードに同期したレンズの収納動作をカメラが自動で行うものがある。
【０００３】
【発明が解決しようとする課題】
カメラが自動でレンズの繰り出しおよび収納を行うことで、ユーザーの手間が省けるというメリットがある反面、電源ＯＮ／ＯＦＦや撮影モード／再生モードの切り替えの度にレンズの繰り出し、収納が行われるため、ユーザーはその動作にかかる時間だけ毎回待たなければならないという問題がある。
【０００４】
また、カメラ外部にコンバージョンレンズやマリンパックが装着されるものでは、レンズの収納が必要ないにもかかわらず、同様にレンズの繰り出し、収納が行われてしまう。このようにレンズの繰り出しおよび収納動作を行うことで、レンズ駆動に必要な電力が消費され、バッテリーが消耗されてしまうという問題がある。
【０００５】
本発明はかかる実情に鑑み、撮影光学系の沈胴動作を適切かつ効果的に制御し、使用性等に優れたカメラおよびその制御方法等を提供することを目的とする。
【０００６】
【課題を解決するための手段】
上記課題を目的を達成するために、カメラ作動のための電力を供給する電源と、撮影を行なうための沈胴式レンズと、該沈胴式レンズの繰り出しおよび収納動作を制御する制御部とを備え、前記沈胴式レンズの第１または第２の沈胴方式を指定する指定手段と、アダブタ装着の有無を検知する検知手段とを有し、前記指定手段によって第１の沈胴方式が指定された場合には、前記検知手段によりアダブタ装着の有無に応じて沈胴制御を行うとともに、第２の沈胴方式が指定された場合には、前記沈胴制御は前記アダプタ装着の有無に拘らない。
【０００７】
また、カメラ作動のための電力を供給する電源と、撮影を行なうための沈胴式レンズと、該沈胴式レンズの繰り出しおよび収納動作を制御する制御部とを備えカメラの制御方法であって、前記沈胴式レンズの第１のまたは第２の沈胴方式を指定手段によって指定し、前記指定手段によって第１の沈胴方式が指定された場合には、アダプタ装着の有無に応じて沈胴制御を行うとともに、第２の沈胴方式が指定された場合には、前記沈胴制御は前記アダプタ装着の有無に拘らない。
【０００８】
また、カメラの状態を撮影モードから再生モードへの切り換える切換手段と、前記切換手段の切り換えに応答して撮影光学系を繰り出し状態と繰り込み状態に駆動制御すると共に、前記切換手段による同一の切り換えに対して異なる駆動制御を選択可能である制御手段とを有するカメラとするものである。
【０００９】
カメラの状態を再生モードから撮影モードへの切り換える切換手段と、前記切換手段の切り換えに応答して撮影光学系を繰り出し状態と繰り込み状態に駆動制御すると共に、前記切換手段による同一の切り換えに対して異なる駆動制御を選択可能である制御手段とを有するカメラとするものである。
【００１０】
また、カメラの状態を撮影モードから再生モードへの切り換える切換手段と、前記切換手段の切り換えに応答して撮影光学系を突出状態と収納状態に駆動制御すると共に、前記切換手段による同一の切り換えに対して異なる駆動制御を選択可能であるカメラとするものである。
【００１１】
また、カメラの状態を再生モードから撮影モードへ切り換える切換手段と、前記切換手段の切り換えに応答して撮影光学系を突出状態と収納状態に駆動制御すると共に、前記切換手段による同一の切り換えに対して異なる駆動制御を選択可能であるカメラとするものである。
【００１２】
撮影光学系が装着されるカメラの状態を再生モードから撮影モードへの切り換えに応答して該撮影光学系を繰り出し状態と繰り込み状態に駆動制御すると共に、前記カメラの状態の同一の切り換えに対して異なる駆動制御を選択可能にすることを特徴とする撮影光学系の駆動制御コンピュータプログラムとするものである。
【００１３】
撮影光学系が装着されるカメラの状態を再生モードから撮影モードへの切り換えに応答して該撮影光学系を突出状態と収納状態に駆動制御すると共に、前記カメラの状態の同一の切り換えに対して異なる駆動制御を選択可能にすることを特徴とする撮影光学系の駆動制御コンピュータプログラムとするものである。
【００１４】
【発明の実施の形態】
以下、図面を参照して、本発明の好適な実施の形態を説明する。
【００１５】
図１および図２は、本発明の実施例のカメラ外観を示す図である。図１（ａ）は沈胴レンズが繰り出し（突出）ている様子を、図１（ｂ）は沈胴レンズ（撮影光学系）が収納（繰り込み）している様子を、図１（ｃ）はカメラをファインダー側から見た様子をそれぞれ示している。図２（ａ）は沈胴レンズが繰り出した状態のカメラ本体にコンバージョンレンズなどのアダプタを装着しようとしている様子を、図２（ｂ）はカメラ本体にコンバージョンレンズを装着した様子をそれぞれ示している。
【００１６】
図において５００はカメラ本体であり、カメラ本体５００はシャッターボタン５０２、電源ＯＮ／ＯＦＦスイッチ５０４、モードダイアルスイッチ５０６、アダプタ検知スイッチ５１０、沈胴レンズ５０８、表示装置５２０、メニュー選択キー５２１などから構成される。
【００１７】
６００はコンバージョンレンズである。コンバージョンレンズ６００はレンズ６０２、カメラ本体５００のアダプタ検知スイッチ５１０に対する押し込み用突起部６０４などから構成される。このようにコンバージョンレンズ６００を装着した際、アダプタ検知スイッチ５１０が押し込み用突起部６０４によって、押し込まれる構造になっている。
【００１８】
さらに、図２（ｂ）から明らかなように、コンバージョンレンズ６００を装着すると、コンバージョンレンズ６００がカメラの沈胴レンズ５０８をすっぽりと覆うかたちになる。このようにコンバージョンレンズ６００の装着時には、沈胴レンズ５０８を収納することでカメラ全体としてコンパクトになるというものではなくなり、すなわち沈胴レンズ５０８の収納とカメラのコンパクト性とは無関係になる。
【００１９】
図３は、本発明の実施形態に係るデジタルカメラシステムにおける内部ブロック構成を示す図である。
【００２０】
図３において、１００は画像処理装置である。１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。１８は撮像素子１４、Ａ／Ｄ変換器１６、Ｄ／Ａ変換器２６にクロック信号や制御信号を供給するタイミング発生回路であり、メモリ制御回路２２および制御回路５０により制御される。
【００２１】
２０は画像処理回路であり、Ａ／Ｄ変換器１６からのデータあるいはメモリ制御回路２２からのデータに対して、所定の画素補間処理や色変換処理を行う。また、画像処理回路２０においては撮像した画像データを用いて所定の演算処理を行い、得られた演算結果に基づいてシステム制御回路５０が露光制御手段４０、測距制御手段４２に対して制御を行うＴＴＬ（スルー・ザ・レンズ）方式のＡＦ（オートフォーカス）処理、ＡＥ（自動露出）処理、ＥＦ（フラッシュプリ発光）処理を行っている。さらに、画像処理回路２０においては撮像した画像データを用いて所定の演算処理を行い、得られた演算結果に基づいてＴＴＬ方式のＡＷＢ（オートホワイトバランス）処理も行っている。
【００２２】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータは画像処理回路２０、ャｃ叶ァ御回路２２を介して、あるいは直接メモリ制御回路２２を介して、画像表示メモリ２４あるいはメモリ３０に書き込まれる。２４は画像表示メモリ、２６はＤ／Ａ変換器、２８はＴＦＴＬＣＤ等からなる画像表示部であり、画像表示メモリ２４に書き込まれた表示用の画像データは、Ｄ／Ａ変換器２６を介して画像表示部２８により表示される。画像表示部２８を用いて撮像した画像データを逐次表示すれば、電子ファインダー機能を実現することが可能である。また、画像表示部２８は、システム制御回路５０の指示により任意に表示をオン／オフすることが可能であり、表示をオフにした場合には画像処理装置１００の電力消費を大幅に低減することができる。
【００２３】
３０は撮影した静止画像や動画像を格納するためのメモリであり、所定枚数の静止画像や所定時間の動画像を格納するのに十分な記憶容量を備えている。これにより複数枚の静止画像を連続して撮影する連射撮影やパノラマ撮影の場合においても、高速かつ大量の画像書き込みをメモリ３０に対して行うことが可能となる。また、メモリ３０はシステム制御回路５０の作業領域としても使用することが可能である。
【００２４】
３２は適応離散コサイン変換（ＡＤＣＴ）等により画像データを圧縮伸長する圧縮・伸長回路であり、メモリ３０に格納された画像を読み込んで圧縮処理あるいは伸長処理を行い、処理を終えたデータをメモリ３０に書き込む。
【００２５】
４０は絞り機能を備えるシャッター１２を制御する露光制御手段であり、フラッシュ４８と連携することによりフラッシュ調光機能も有するものである。４２は撮影レンズ１０のフォーカシングを制御する測距制御手段、４４は撮影レンズ１０のズーミングを制御するズーム制御手段、４６は撮影レンズ１０のバリアである保護手段１０２の動作を制御するバリア制御手段である。４８はフラッシュであり、ＡＦ補助光の投光機能およびフラッシュ調光機能も有する。露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００２６】
５０は画像処理装置１００全体を制御するシステム制御回路、５２はシステム制御回路５０の動作用の定数、変数、プログラム等を記憶するメモリである。５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数あるいは複数個所設置され、たとえばＬＣＤやＬＥＤ、発音素子等の組み合わせにより構成されている。また、表示部５４は、その一部の機能が光学ファインダー１０４内に設置されている。
【００２７】
表示部５４の表示内容のうちＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００および２１０の着脱状態表示、通信Ｉ／Ｆ動作表示、日付・時刻表示、等がある。また、表示部５４の表示内容のうち、光学ファインダー１０４内に表示するものとしては、合焦表示、手振れ警告表示、フラッシュ充電表示、シャッタースピード表示、絞り値表示、露出補正表示等がある。
【００２８】
５６は電気的に消去・記録可能な不揮発性メモリであり、典型的にはたとえばＥＥＰＲＯＭ等が用いられる。
【００２９】
６０，６２，６４，６６，６８および７０は、システム制御回路５０の各種の動作指示を入力するための操作手段であり、スイッチやダイアル、タッチパネルなどの単数あるいは複数の組み合わせで構成される。ここで、これらの操作手段の具体的な説明を行う。６０は図１（ａ）に示すモードダイアルスイッチ５０６に相当するモードダイアルスイッチであり、自動撮影モード、撮影モード、パノラマ撮影モード、再生モード、マルチ画面再生・消去モード、ＰＣ接続モード等の各機能モードを切り替え設定することができる。
【００３０】
６８は図１（ａ）に示す電源ＯＮ／ＯＦＦスイッチ５０４に相当する電源スイッチであり、カメラの電源のＯＮ／ＯＦＦを切り替えることができる。
【００３１】
６２は図１（ａ）に示すシャッターボタン５０２に相当するシャッタースイッチＳＷ１であり、図示しないシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３２】
６４はシャッタースイッチＳＷ２であり、図示しないシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００あるいは２１０に画像データを書き込む記録処理等を含む一連の処理の動作開始を指示する。
【００３３】
６６は図１（ａ）に示すアダプタ検知スイッチ５１０に相当するアダプタ検知スイッチであり、コンバージョンレンズ６００などが取り付けられたことを検知する。アダプタ検知スイッチ６６で検知した結果は、システム制御５０で行われるレンズの沈胴制御に使用される。コンバージョンレンズ６００が装着されていることを検知した場合、レンズの収納を行わないと判断することができる。
【００３４】
７０は図１（ｃ）に示す表示装置５２０やメニュー選択キー５２１に相当する各種ボタンやタッチパネル等からなる操作部であり、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。
【００３５】
さらに、操作部７０は、レンズの沈胴制御方式を指定する指定機能を有し、この指定機能によって指定された沈胴制御方式に従って沈胴式レンズを駆動制御することができるようになっている。沈胴制御方式としては「オートモード」、「常時レンズ繰り出しモード」などがある。オートモードでは、モードダイアルスイッチ６０、電源スイッチ６８、アダプタ検知スイッチ６６に同期して、レンズの繰り出しおよび沈胴動作を自動的に行う。たとえば、電源スイッチ６８がＯＦＦになり、コンバージョンレンズ６００が装着されていた場合は、レンズは収納しないと自動的に判断する。
【００３６】
８０は電源制御手段であり、電池検出回路、ＤＣ−ＤＣコンバータ、通電するブロックを切り替えるスイッチ回路等により構成されており、電池装着の有無、電池の種類、電池残量の検出を行い、検出結果およびシステム制御回路５０の指示に基づいてＤＣ−ＤＣコンバータを制御し、必要な電圧を必要な期間、記録媒体を含む各部へ供給する。８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００３７】
９０および９４はメモリカードやハードディスク等の記録媒体とのインタフェース、９２および９６はメモリカードやハードディスク等の記録媒体と接続を行うコネクタ、９８はコネクタ９２および／あるいは９６に記録媒体２００あるいは２１０が装着されているか否かを検知する記録媒体着脱検知手段である。
【００３８】
なお、本実施形態では記録媒体を取り付けるインターフェースおよびコネクタを２系統持つものとして説明している。もちろん、記録媒体を取り付けるインターフェースおよびコネクタは単数あるいは複数、いずれの系統数を備える構成としても構わない。また、異なる規格のインターフェースおよびコネクタを組み合わせて備える構成としても構わない。インターフェースおよびコネクタとしては、ＰＣＭＣＩＡカードやＣＦ（コンパクトフラッシュ（Ｒ））カード等の規格に準拠したものを用いて構成して構わない。さらに、インタフェース９０および９４、そしてコネクタ９２および９６をＰＣＭＣＩＡカードやＣＦ（コンパクトフラッシュ（Ｒ））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することにより、他のコンピュータやプリンタ等の周辺機器との間で画像データや画像データに付属した管理情報を転送し合うことができる。
【００３９】
１０２は画像処理装置１００のレンズ１０を含む撮像部を覆うことにより、撮像部の汚れや破損を防止するバリアである保護手段である。１０４は光学ファインダであり、画像表示部２８による電子ファインダー機能を使用することなしに光学ファインダのみを用いて撮影を行うことが可能である。また、光学ファインダー１０４内には、表示部５４の一部の機能、たとえば合焦表示、手振れ警告表示、フラッシュ充電表示、シャッタースピード表示、絞り値表示、露出補正表示などが設置されている。
【００４０】
１１０は通信手段であり、ＲＳ２３２ＣやＵＳＢ、ＩＥＥＥ１３９４、Ｐ１２８４、ＳＣＳＩ、モデム、ＬＡＮ、無線通信等の各種通信機能を有する。１１２は通信手段１１０により画像処理装置１００を他の機器と接続するコネクタあるいは無線通信の場合はアンテナである。
【００４１】
２００はメモリカードやハードディスク等の記録媒体である。記録媒体２００は、半導体メモリや磁気ディスク等から構成される記録部２０２、画像処理装置１００とのインタフェース２０４、画像処理装置１００と接続を行うためのコネクタ２０６を備えている。２１０はメモリカードやハードディスク等の記録媒体である。記録媒体２１０は、半導体メモリや磁気ディスク等から構成される記録部２１２、画像処理装置１００とのインタフェース２１４、画像処理装置１００と接続を行うコネクタ２１６を備えている。
【００４２】
つぎに図４および図５を参照して、本実施形態における動作を説明する。
【００４３】
図４は、カメラの電源スイッチがオンされてからの起動フローチャートを示す。電源スイッチ６８がオンされ、電源スイッチＯＮフローが開始される（ステップＳ４０１）。カメラシステムに必要なハードウェアおよびソフトウェアの初期化を行う（ステップＳ４０２）。モードダイアル６０の状態を確認することで、どのモードでカメラを起動するのかを判断する（ステップＳ４０３）。
【００４４】
ここで、撮影モードなのか、再生モードなのかを判断し、それぞれに適した処理を実行する。撮影モードでの起動の場合、撮影のためにレンズを繰り出す必要がある。まず、そのためにレンズ位置が撮影可能な位置にあるかどうかをチェックする（ステップＳ４０４）。レンズ位置が撮影不可と判断された場合、撮影可能位置までレンズを駆動する（ステップＳ４０５）。レンズ駆動後、再度レンズ位置を確認し、撮影可能なレンズ位置になるまでレンズ駆動を繰り返し行う。レンズ位置が撮影可能な状態になったら、撮影に必要なハードウェアおよびソフトウェアの初期化を行い（ステップＳ４０６）、カメラが撮影可能な状態になる。
【００４５】
図５は、カメラの電源スイッチがオフされてからのシャットダウンフローチャートを示す。
【００４６】
電源スイッチ６８がオフされ、電源スイッチＯＦＦフローが開始される（ステップＳ５０１）。まず、操作部７０で指定された沈胴コントロール方式を確認し、オートモードか常時レンズ繰り出しモードかにより、それぞれに適した処理を実行する。常時レンズ繰り出しモードに設定されている場合は、レンズを収納する必要がないため、カメラシステムの電源ＯＦＦ処理を行い（ステップＳ５０６）、カメラが電源ＯＦＦ状態になる（ステップＳ５０７）。
【００４７】
オートモードに設定されている場合、カメラにコンバージョンレンズ６００などが装着されていないかどうかをアダプタ検知スイッチ６６で確認する（スイッチＳ５０３）。コンバージョンレンズ６００などが装着されていることを検出した場合、レンズを収納する必要がないため、カメラシステムの電源ＯＦＦ処理を行い（ステップＳ５０６）、カメラが電源ＯＦＦ状態になる（ステップＳ５０７）。
【００４８】
コンバージョンレンズなどが装着されていない場合、レンズの収納処理を行う。まず、レンズの位置を確認し、収納位置にあるかどうかを調べる（ステップＳ５０４）。収納位置にない場合、収納位置方向にレンズを駆動する（ステップＳ５０５）。レンズ位置が収納位置になるまで、レンズ位置確認とレンズ駆動を繰り返し、収納位置にレンズが移動できたことを確認できたら、カメラシステムの電源ＯＦＦ処理を行い（ステップＳ５０６）、カメラが電源ＯＦＦ状態になる（ステップＳ５０７）。
【００４９】
このように操作部７０で常時レンズ繰り出しモードを選択しておいた場合、あるいはコンバージョンレンズ６００などを装着している場合の電源ＯＦＦ処理は、レンズの収納動作が行われなくなる。このため電源スイッチをＯＦＦにしてから、実際にカメラが電源ＯＦＦになるまでの時間を大幅に短縮することができる。また、次回の電源ＯＮ処理においては、既にレンズが繰り出している状態にあり、レンズ位置が撮影可能な状態にあるため、電源スイッチをＯＮにしてから、撮影可能になるまでの時間を大幅に短縮することができる。同時に、電源ＯＮ／ＯＦＦ時のレンズ沈胴動作が行われなくなることで、消費電力も削減される。
【００５０】
以上の実施形態では、図２に示したように、カメラにコンバージョンレンズ６００を装着した場合を例に説明したが、これはコンバージョンレンズに限定されず、たとえば水中でカメラを使用する際に装着するマリンパックの場合でも、本発明は適用される。マリンパックの装着により、図２（ａ）のアダプタ検知スイッチ５１０が押し込まれる構造であれば、コンバージョンレンズ装着と同様の効果が得られる。
【００５１】
また、以上の実施形態では、電源をＯＮからＯＦＦに切り換えた際にレンズを収納させるか否かを選択できるようにしているが、本発明はこれに限定されるものではなく、電源をＯＦＦからＯＮに切り換えた際にレンズを繰り出すか否かを選択できるようにしたり、電源ではなく、他のカメラの状態の切換え、例えば、撮影モードから再生モードへの切り換えの際にレンズを収納させるか否か、或いは、再生モードから撮影モードへの切り換えの際にレンズを繰り出すか否かを選択できるようにするといったようなものであっても本発明は適用できるものである。
【００５２】
また、特にデジタルカメラの例で実施形態を説明したが、本発明は銀塩カメラに対しても有効に適用可能であり、上記実施形態と同様な作用効果を得ることができる。
【００５３】
ここで、上記様々な実施形態に示した各機能ブロックおよび処理手順は、ハードウェアにより構成してもよいし、ＣＰＵあるいはＭＰＵ、ＲＯＭおよびＲＡＭ等からなるマイクロコンピュータシステムによって構成し、その動作をＲＯＭやＲＡＭに格納された作業プログラムに従って実現するようにしてもよい。また、上記各機能ブロックの機能を実現するように当該機能を実現するためのソフトウェアのプログラムをＲＡＭに供給し、そのプログラムに従って上記各機能ブロックを動作させることによって実施したものも、本発明の範疇に含まれる。
【００５４】
この場合、上記ソフトウェアのプログラム自体が上述した各実施形態の機能を実現することになり、そのプログラム自体およびそのプログラムをコンピュータに供給するための手段、たとえばかかるプログラムを格納した記録媒体は本発明を構成する。かかるプログラムを記憶する記憶媒体としては、ＲＯＭやＲＡＭの他にたとえばフレキシブルディスク、ハードディスク、光ディスク、光磁気ディスク、ＣＤ−ＲＯＭ、ＣＤ−Ｉ、ＣＤ−Ｒ、ＣＤ−ＲＷ、ＤＶＤ、ｚｉｐ、磁気テープあるいは不揮発性のメモリカード等を用いることができる。
【００５５】
また、コンピュータが供給されたプログラムを実行することにより、上述の実施形態の機能が実現されるだけでなく、そのプログラムがコンピュータにおいて稼働しているＯＳ（オペレーティングシステム）あるいは他のアプリケーションソフト等の共同して上述の実施形態の機能が実現される場合にもかかるプログラムは本発明の実施形態に含まれることは言うまでもない。
【００５６】
さらに、供給されたプログラムがコンピュータの機能拡張ボードやコンピュータに接続された機能拡張ユニットに備わるメモリに格納された後、そのプログラムの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【００５７】
【発明の効果】
以上説明したように本発明によれば、撮影光学系の沈胴動作を適切かつ効果的に制御し、使用性等に優れたカメラおよびその制御方法等を提供できるものである。
【図面の簡単な説明】
【図１】（ａ）は本発明の実施形態のカメラをレンズ側から見たレンズ繰り出し状態を示す図、（ｂ）はカメラをレンズ側から見たレンズ収納状態を示す図、（ｃ）はカメラをファインダー側から見た図である。
【図２】（ａ）は本発明の実施形態のレンズが繰り出したカメラを側面から見たコンバージョンレンズ装着前を示す図、（ｂ）はレンズが繰り出したカメラを側面から見たコンバージョンレンズ装着後を示す図である。
【図３】本発明の実施形態における構成例を示すブロック図である。
【図４】本発明の実施形態における電源ＯＮ時の動作を示すフローチャートである。
【図５】本発明の実施形態における電源ＯＦＦ時の動作を示すフローチャートである。
【符号の説明】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  アダプタ検出部
６８  電源ＯＮ／ＯＦＦスイッチ
７０  操作部
８０  電源制御手段
８２  コネクタ
８４  コネクタ
８６  電源手段
９０  インタフェース
９２  コネク
９４  インタフェース
９６  コネクタ
９８  記録媒体着脱検知手段
１００  画像処理装置
１０２  保護手段
１０４  光学ファインダ
１１０  通信手段
１１２  コネクタ（またはアンテナ）
２００  記録媒体
２０２  記録部
２０４  インタフェース
２０６  コネクタ
２１０  記録媒体
２１２  記録部
２１４  インタフェース
２１６  コネクタ
５００  カメラ本体
５０２  レリーズボタン
５０４  電源ＯＮ／ＯＦＦスイッチ
５０６  モードダイアル
５０８  レンズ
５１０  外部アダプタ検出スイッチ
５２０  表示装置
５２１  メニュー選択キー
６００  コンバージョンレンズ本体
６０２  コンバージョンレンズ
６０４  外部アダプタ検出スイッチ押し込み部
【図１】
0003592322.tif 000002
【図２】
0003592322.tif 000003
【図３】
0003592322.tif 000004
【図４】
0003592322.tif 000005
【図５】
0003592322.tif 000006